(57)【要約】【課題】トラック密度や、線記録密度を上げることなく磁気ディスクの記憶容量を増やすこと。【解決手段】データ処理部１３０が変調処理部１４０に記録データを送信し、変調部１４０ａが、振幅特定テーブル記憶部１４０ｂに記憶された振幅特定テーブルをもとにして、記録データに対応するように振幅変調した交流電流を作成し、作成した交流電流を波形整形部１５０およびアンプ１６０を介してヘッド３０に送信し、ヘッド３０が磁気ディスク１０の対応する記憶層を磁化させる。【選択図】        図２
2005267778.tif 000002
【特許請求の範囲】
【請求項１】
磁気ヘッドを用いて記録媒体に情報の記録および該記録媒体に記録された情報の再生を行うデータ記録再生装置であって、
前記記録媒体に記録する記録情報を数段階の振幅を含んだ信号に振幅変調し、該信号の振幅の各段階に対して前記記録情報に含まれる複数の情報を対応付けるとともに、前記磁気ヘッドに該信号を送信し、前記記録媒体の各単位記録領域に該信号の振幅に対応した振幅情報を記録させる情報記録処理手段と、
前記磁気ヘッドが前記記録媒体の各単位記憶領域から読み取る前記振幅情報を再生可能な再生情報に変換する再生処理手段と、
を備えたことを特徴とするデータ記録再生装置。
【請求項２】
前記情報記録処理手段は、前記記憶情報に含まれる複数の情報に対応する前記信号の振幅の段階を示す変調情報を記憶する変調情報記憶手段と、前記変調情報記憶手段に記憶された変調情報に基づいて、前記記録情報を振幅変調して前記信号を作成し、該作成した信号を前記磁気ヘッドに送信し、前記記録媒体の各単位記録領域に前記振幅情報を記録させる変調処理手段とを備えたことを特徴とする請求項１に記載のデータ記録再生装置。
【請求項３】
前記再生処理手段は、前記振幅情報と前記再生情報との関係を示す変換情報を記憶する変換情報記憶手段と、前記再生情報記憶手段に記憶された前記変換情報に基づいて前記振幅情報を前記再生情報に変換する変換処理手段とを備えたことを特徴とする請求項１または２に記載のデータ記録再生装置。
【請求項４】
記憶層に含まれる磁性体を磁化させることで情報を記録する記録媒体であって、
前記磁性体の磁化に対する保磁力が異なる記録層を厚み方向に複数備え、該複数の記憶層を利用して情報を記録することを特徴とする記録媒体。
【請求項５】
磁気ヘッドを用いて記録媒体に情報の記録および該記録媒体に記録された情報の再生を行うデータ記録再生方法であって、
前記記録媒体に記録する記録情報を数段階の振幅を含んだ信号に振幅変調し、該信号の振幅の各段階に対して前記記録情報に含まれる複数の情報を対応付けるとともに、前記磁気ヘッドに該信号を送信し、前記記録媒体の各単位記録領域に該信号の振幅に対応した振幅情報を記録させる情報記録処理工程と、
前記磁気ヘッドが前記記録媒体の各単位記憶領域から読み取る前記振幅情報を再生可能な再生情報に変換する再生処理工程と、
を含んだことを特徴とするデータ記録再生方法。
【請求項６】
磁気ヘッドを用いて記録媒体に情報の記録および該記録媒体に記録された情報の再生を行うデータ記録再生プログラムであって、
前記記録媒体に記録する記録情報を数段階の振幅を含んだ信号に振幅変調し、該信号の振幅の各段階に対して前記記録情報に含まれる複数の情報を対応付けるとともに、前記磁気ヘッドに該信号を送信し、前記記録媒体の各単位記録領域に該信号の振幅に対応した振幅情報を記録させる情報記録処理手順と、
前記磁気ヘッドが前記記録媒体の各単位記憶領域から読み取る前記振幅情報を再生可能な再生情報に変換する再生処理手順と、
をコンピュータに実行させることを特徴とするデータ記録再生プログラム。
【発明の詳細な説明】
【技術分野】
【０００１】
この発明は、磁気ヘッドを用いて記録媒体に情報の記録および該記録媒体に記録された情報の再生を行うデータ記録再生装置、データ記録再生方法およびデータ記録再生プログラム等に関し、特に、より多くのデータを記録再生することができるデータ記録再生装置、記録媒体、データ記録再生方法およびデータ記録再生プログラムに関するものである。
【背景技術】
【０００２】
近年、ハード・ディスク・ドライブ（以下、ＨＤＤと表記する）の記憶容量は、急激な勢いで伸びてきており、その勢いは年率で１００パーセント以上に達する。それに伴い、今後もＨＤＤの容量を増やすことが求められている。
【０００３】
ＨＤＤの容量を増やすためには、使用する磁気ディスクの枚数を増やせばよい。しかし、ディスクトップパソコンなどに利用するＨＤＤの多くは、ＨＤＤ専用ベイに搭載させるため、厚さが制限され、内蔵する磁気ディスクを増やす方策はとれないのが現状である。
【０００４】
従って、従来では、単体の磁気ディスクにより多くのデータを記録するために、メディアの回転方向の密度である線記録密度やトラックの半径方向の密度であるトラック密度などの記録密度を高め、ＨＤＤの容量を増やしていた（例えば非特許文献１参照。）。
【０００５】
【非特許文献１】日系バイト編、”パソコン技術体系２００３ハードウェア編”、日経バイト社、第６章
【発明の開示】
【発明が解決しようとする課題】
【０００６】
しかしながら、従来のように磁気ディスクに対する線記録密度やトラック密度を高めることによって、磁気ディスクの記憶容量を増やすことがこれ以上出来なくなりつつあるという問題がある。
【０００７】
なぜなら、ヘッドが磁気ディスクに対してデータの記録再生を行うことのできる１ビットあたりの記録面積をこれ以上小さくすることは、ほぼ限界に達しているためであり、これ以上を線記録密度やトラック密度を高め、記録面積を小さくすることは、歩留まりが悪く、コスト的にもかなりの費用がかかる。
【０００８】
従って、線記録密度やトラック密度を高めることなく、磁気ディスクの記憶可能なデータの容量を増やすことがきわめて重要な課題となっている。
【０００９】
この発明は、上述した従来技術による問題点を解消し、課題を解決するためになされたものであり、磁気ディスクの線記録密度やトラック密度を高めることなく、磁気ディスクの記憶容量を増やすことが出来るデータ記録再生装置、記録媒体、データ記録再生方法およびデータ記録再生プログラムを提供することを目的とする。
【課題を解決するための手段】
【００１０】
上述した課題を解決し、目的を達成するため、本発明は、磁気ヘッドを用いて記録媒体に情報の記録および該記録媒体に記録された情報の再生を行うデータ記録再生装置であって、前記記録媒体に記録する記録情報を数段階の振幅を含んだ信号に振幅変調し、該信号の振幅の各段階に対して前記記録情報に含まれる複数の情報を対応付けるとともに、前記磁気ヘッドに該信号を送信し、前記記録媒体の各単位記録領域に該信号の振幅に対応した振幅情報を記録させる情報記録処理手段と、前記磁気ヘッドが前記記録媒体の各単位記憶領域から読み取る前記振幅情報を再生可能な再生情報に変換する再生処理手段と、を備えたことを特徴とする。
【００１１】
また、本発明は、上記発明において、前記情報記録処理手段は、前記記憶情報に含まれる複数の情報に対応する前記信号の振幅の段階を示す変調情報を記憶する変調情報記憶手段と、前記変調情報記憶手段に記憶された変調情報に基づいて、前記記録情報を振幅変調して前記信号を作成し、該作成した信号を前記磁気ヘッドに送信し、前記記録媒体の各単位記録領域に前記振幅情報を記録させる変調処理手段とを備えたことを特徴とする。
【００１２】
また、本発明は、上記発明において、前記再生処理手段は、前記振幅情報と前記再生情報との関係を示す変換情報を記憶する変換情報記憶手段と、前記再生情報記憶手段に記憶された前記変換情報に基づいて前記振幅情報を前記再生情報に変換する変換処理手段とを備えたことを特徴とする。
【００１３】
また、本発明は、記憶層に含まれる磁性体を磁化させることで情報を記録する記録媒体であって、前記磁性体の磁化に対する保磁力が異なる記録層を厚み方向に複数備え、該複数の記憶層を利用して情報を記録することを特徴とする。
【００１４】
また、本発明は、磁気ヘッドを用いて記録媒体に情報の記録および該記録媒体に記録された情報の再生を行うデータ記録再生方法であって、前記記録媒体に記録する記録情報を数段階の振幅を含んだ信号に振幅変調し、該信号の振幅の各段階に対して前記記録情報に含まれる複数の情報を対応付けるとともに、前記磁気ヘッドに該信号を送信し、前記記録媒体の各単位記録領域に該信号の振幅に対応した振幅情報を記録させる情報記録処理工程と、前記磁気ヘッドが前記記録媒体の各単位記憶領域から読み取る前記振幅情報を再生可能な再生情報に変換する再生処理工程と、を含んだことを特徴とする。
【００１５】
また、本発明は、磁気ヘッドを用いて記録媒体に情報の記録および該記録媒体に記録された情報の再生を行うデータ記録再生プログラムであって、前記記録媒体に記録する記録情報を数段階の振幅を含んだ信号に振幅変調し、該信号の振幅の各段階に対して前記記録情報に含まれる複数の情報を対応付けるとともに、前記磁気ヘッドに該信号を送信し、前記記録媒体の各単位記録領域に該信号の振幅に対応した振幅情報を記録させる情報記録処理手順と、前記磁気ヘッドが前記記録媒体の各単位記憶領域から読み取る前記振幅情報を再生可能な再生情報に変換する再生処理手順と、をコンピュータに実行させることを特徴とする。
【発明の効果】
【００１６】
本発明によれば、記録情報を数段階の振幅を含んだ信号に振幅変調し、信号の振幅の各段階に対して記録情報に含まれる複数の情報を対応付けるとともに、磁気ヘッドに該信号を送信し、記録媒体の各単位記録領域に信号の振幅に対応した振幅情報を記録させるので、単位記録面積に、記録情報に含まれる複数の情報に対応した情報を記憶させることができ、記録媒体の記憶容量を増加させることができる。
【００１７】
また、本発明によれば、記録媒体に記録された振幅情報と再生情報との関係を示す変換情報を記録し、変換情報に基づいて振幅情報を再生情報に変換するので、記録媒体に記録された振幅情報を精度よく再生情報に変換することができる。
【発明を実施するための最良の形態】
【００１８】
以下に添付図面を参照して、データ記録再生装置、記録媒体、データ記録再生方法およびデータ記録再生プログラムの好適な実施の形態を詳細に説明する。
【実施例】
【００１９】
まず、本実施例に係るデータ記録の概念について説明する。図１は、本実施例に係るデータ記録の概念を説明するための図である。同図に示すように、磁気ディスク１０は、ディスクの厚み方向に、データを記録する複数の記憶層を持つ。なお、ここでは、説明の便宜上、Ｈ１、Ｈ２、Ｈ３およびＨ４の記憶層を有する場合を示すが、任意の数の記憶層から磁気ディスク１０を構成しても良い。
【００２０】
また、記憶層Ｈ１、Ｈ２、Ｈ３およびＨ４はそれぞれに含まれる磁性体を磁化させるための保磁力が異なる。記憶層Ｈ２は、記憶層Ｈ１よりも保磁力が強く、記憶層Ｈ３は、記憶層Ｈ２よりも保磁力が強く、記憶層Ｈ４は、記憶層Ｈ３よりも保磁力が強い。
【００２１】
従って、記憶層Ｈ１は、記憶層Ｈ２よりも磁化されやすく、記憶層Ｈ２は、記憶層Ｈ３よりも磁化されやすく、記憶層Ｈ３は、記憶層Ｈ４よりも磁化されやすくなる。
【００２２】
一方、交流電流２０は、データ記録再生装置（データ記録再生装置については後述する）から磁気ディスク１０にデータの書き込みおよび読み込みを行うためのヘッドに送られる。また、ヘッドに送られる電流の振幅の大きさは、Ｉ１、Ｉ２、Ｉ３およびＩ４の４種類ある。ここで、Ｉ２は、Ｉ１よりも電流の振幅が大きく、Ｉ３は、Ｉ２よりも電流の振幅が大きく、Ｉ４は、Ｉ３よりも電流の振幅が大きい。また、Ｉ１、Ｉ２、Ｉ３およびＩ４はそれぞれ所定のバイナリデータに対応している。
【００２３】
そして、ヘッドは、受け取った電流の振幅の大きさに応じた磁力線を磁気ディスク１０に放射し、対応する記憶層を磁化させる。図１に示すように、電流の振幅がＩ１の場合には、記憶層Ｈ１のみを磁化させ、電流の振幅がＩ２の場合には、記憶層Ｈ１およびＨ２を磁化させ、電流の振幅がＩ３の場合には、記憶層Ｈ１、Ｈ２およびＨ３を磁化させ、電流の振幅がＩ４の場合には、記憶層Ｈ１、Ｈ２、Ｈ３およびＨ４を磁化させる。
【００２４】
また、ヘッドは、磁気ディスク１０から記録層Ｈ１、Ｈ２、Ｈ３およびＨ４のいずれまで磁化されているか読み取り、読み取った値を保磁力レベル値としてデータ記録再生装置に送信する。そして、データ記録再生装置は、受け取った保磁力レベル値を再生データに変換する。
【００２５】
このように、複数の記録層を持った磁気ディスク１０を利用してデータの記録再生を行うので、トラックの回転方向の密度を示す線記録密度やトラックの半径方向の密度を示すトラック密度などを上げることなく、より多くのデータを磁気ディスクに記録させることができる。
【００２６】
次に、データ記録再生装置の構成について説明する。図２は、データ記録再生装置の構成を示す機能ブロック図である。同図に示すように、データ記録再生装置１００は、制御部１１０と、位置決めコントロール部１２０と、データ処理部１３０と、変調処理部１４０と、波形整形部１５０と、アンプ１６０と、Ａ／Ｄ変換部１７０と、比較処理部１８０と、メモリ１９０とを有する。
【００２７】
制御部１１０は、位置決めコントロール部１２０およびデータ処理部１３０を制御する。位置決めコントロール部１２０は、制御部１１０からの指示により、アクチュエータ４０を動作させ、ヘッド３０を磁気ディスク１０上の所望の位置に移動させる。
【００２８】
データ処理部１３０は、制御部１１０の指示により、磁気ディスク１０に記憶させるデータを示す記録データと、磁気ディスク１０に記録されたデータを消去するためのデータを示す消磁データとのいずれかを変調処理部１４０に送信する。データ処理部１３０は、データ送受信部１３０ａと、記録データ記憶部１３０ｂと、消磁データ記憶部１３０ｃとを有する。
【００２９】
データ送受信部１３０ａは、制御部１１０からの指示に基づいて、記録データ１３０ｂまたは消磁データ１３０ｃを変調処理部１４０に送信する。また、データ送受信部１３０ａは、図示しない外部装置から記録データを受信し、受信した記録データを記録データ記憶部１３０ｂに記憶させる。また、消磁データ記憶部１３０ｃは、消磁データを記憶している。
【００３０】
変調処理部１４０は、データ処理部１３０から送信される記録データを所定の振幅を含んだ交流電流に振幅変調し、波形整形部１５０に送信する。変調処理部１４０は、変調部１４０ａと、振幅特定テーブル記憶部１４０ｂとを有する。
【００３１】
変調部１４０ａは、振幅特定テーブル記憶部１４０ｂに記憶された振幅特定テーブルをもとにして、記録データに対応する交流電流に振幅変調する。図３に振幅特定テーブルの一例を示す。
【００３２】
図３に示すように、振幅特定テーブルは、記録データと、振幅とからなる。また、振幅特定テーブルは、記録データが、「００」の場合には、対応する電流の振幅を「Ｉ１」に振幅変調し、記録データが、「０１」の場合には、対応する電流の振幅を「Ｉ２」に振幅変調し、記録データが、「１０」の場合には、対応する電流の振幅を「Ｉ３」に振幅変調し、記録データが、「１１」の場合には、対応する電流の振幅を「Ｉ４」に振幅変調することを示している。
【００３３】
例えば、変調部１４０ａは、データ処理部１３０から記録データ「１０１００１１０００１１」を受信した場合には、順に振幅を「Ｉ３、Ｉ３、Ｉ２、Ｉ３、Ｉ１、Ｉ４」に振幅変調した交流電流を作成し、作成した交流電流を波形整形部１５０に送信する。
【００３４】
なお、変調部１４０ａは、データ処理部１３０から消磁データを受信した場合には、磁気ディスク１０の磁性体の磁化を無効にするため、電流の振幅がＩ４に固定された周波数の高い交流電流を作成し、作成した交流電流を波形整形部１５０に送信する。
【００３５】
このように、変調処理部１４０は、交流電流の振幅を４段階に設定し、振幅Ｉ１を００、振幅Ｉ２を０１、振幅Ｉ３を１０、振幅Ｉ４を１１、というように２ビットの値に対応付けて振幅変調し、振幅変調した交流電流を波形整形部１５０に送信する。
【００３６】
波形整形部１５０は、変調処理部１４０から送信される振幅変調された交流電流の波形を整形し、アンプ１６０に送信する。アンプ１６０は、波形整形部１５０から送信される振幅変調されかつ波形を整形された交流電流を増幅し、増幅した交流電流をヘッド３０に送信する。また、アンプ１６０は、ヘッド３０から保磁力レベル値を受け取り、受け取った保守力レベル値を増幅してＡ／Ｄ変換部１７０に送信することとなる。
【００３７】
ヘッド３０は、アンプ１６０から交流電流を受け取り、受け取った交流電流の振幅に応じた磁力線を磁気ディスク１０に放射し、対応した記録層の磁性体を順次、磁化させる。
【００３８】
一方、磁気ディスク１０から記録されたデータを再生する場合に、ヘッド３０は、磁気ディスク１０から保磁力レベル値を読み取り、読み取った保磁力レベル値をアンプ１６０に送信する。
【００３９】
Ａ／Ｄ変換部１７０は、アンプ１６０から保磁力レベル値を受信し、受信した保磁力レベル値をデジタル値に変換する。そして、Ａ／Ｄ変換部１７０は、デジタル値に変換した保磁力レベル値（以下、デジタル保磁力レベル値と表記する）を比較処理部１８０に送信する。
【００４０】
比較処理部１８０は、Ａ／Ｄ変換部１７０からデジタル保磁力レベル値をメモリ１９０に記憶された比較テーブル１９０ａを利用して再生データに変換する。図４に比較テーブルの一例を示す。
【００４１】
図４に示すように、比較テーブルは、保磁力レベル値と、再生データとからなる。また、比較テーブルは、保磁力レベル値が、「Ｈ１」の場合には、再生データを「００」とし、保磁力レベル値が、「Ｈ２」の場合には、再生データを「０１」とし、保磁力レベル値が、「Ｈ３」の場合には、再生データを「１０」とし、保磁力レベル値が、「Ｈ４」の場合には、再生データを「１１」とすることを示す。
【００４２】
従って、比較処理部１８０は、Ａ／Ｄ変換部１７０からデジタル保磁力レベル値「Ｈ３、Ｈ３、Ｈ２、Ｈ３、Ｈ１、Ｈ４」を受信した場合には、再生データを「１０１００１１０００１１」として、図示しない外部装置に送信する。
【００４３】
次に、データ記録再生装置１００が磁気ディスク１０にデータ記録を行う処理手順について説明する。図５は、データ記録を行う処理手順を示すフローチャートである。同図に示すように、データ処理部１３０が、記録データを変調処理部１４０に送信し(ステップＳ１０１)、変調処理部１４０が、振幅特定テーブルと、記録データとをもとに振幅変調を行う(ステップＳ１０２)。
【００４４】
そして、変調処理部１４０は、振幅変調した交流電流を波形整形部１５０に送信し(ステップＳ１０３)、波形整形部１５０は、振幅変調された交流電流を整形し(ステップＳ１０４)、整形した交流電流をアンプ１６０に送信する(ステップＳ１０５)。
【００４５】
そして、アンプ１６０は、交流電流を増幅し(ステップＳ１０６)、増幅した交流電流をヘッド３０に送信し(ステップＳ１０７)、ヘッド３０が磁気ディスク１０の対応する記憶層を磁化させる(ステップＳ１０８)。
【００４６】
このように、変調処理部１４０が、記録データと振幅特定テーブルをもとに振幅変調を行い、振幅変調した交流電流を波形整形部１５０が整形し、アンプ１６０が増幅する。そして、整形および増幅された交流電流をもとにしてヘッド３０が磁気ディスク１０の対応する記憶層を磁化させるので、磁気ディクス１０の各磁区に２ビット分のデータを記録することができる。
【００４７】
なお、データ記録再生装置１００が、磁気ディスク１０の記録データを消磁する処理の詳細な説明は省略するが、記録データを消磁する場合には、データ処理部１３０が、消磁データを変調処理部１４０に送信し、変調部１４０ａが、振幅をＩ４に固定した周波数の高い交流電流を作成し、作成した交流電流を波形整形部１５０およびアンプ１６０を介してヘッド３０に送信し、記録データを順次消磁することとなる。
【００４８】
次に、データ記録再生装置１００がデータ再生を行う処理手順について説明する。図６は、データ再生を行う処理手順を示すフローチャートである。同図に示すように、ヘッド３０が、磁気ディスク１０から保磁力レベル値を読み取り(ステップＳ２０１)、読み取った保磁力レベル値をアンプ１６０に送信する(ステップＳ２０２)。
【００４９】
そして、アンプ１６０は、保磁力レベル値を増幅し(ステップＳ２０３)、増幅した保磁力レベル値をＡ／Ｄ変換部１７０に送信し(ステップＳ２０４)、Ａ／Ｄ変換部１７０は、保磁力レベル値をデジタル値に変換し(ステップＳ２０５)、デジタル値に変換した保磁力レベル値を比較処理部１８０に送信する(ステップＳ２０６)。
【００５０】
そして、比較処理部１８０は、比較デーブル１９０ａをもとにデジタル保磁力レベルを再生データに変換し(ステップＳ２０７)、再生データを外部に送信する（ステップＳ２０８）。
【００５１】
上述してきたように、本実施例では、データ処理部１３０が変調処理部１４０に記録データを送信し、変調処理部１４０が、記録データに対応するように振幅変調した交流電流を作成し、作成した交流電流を波形整形部１５０およびアンプ１６０を介してヘッド３０に送信し、ヘッド３０が磁気ディスク１０の対応する記憶層を磁化させ、データとして記録するので、磁気ディスクのトラック密度や、線記録密度を上げることなく高密度にデータを記録することができる。
【００５２】
なお、上述した実施例では、単数のヘッドを利用してデータの記録再生およびデータの消磁を行ったが、複数のヘッドを利用して、データの記録再生およびデータの消磁を行うように構成しても良い。
【００５３】
例えば、図７に示すように、スライダ２００に対して空気が流出する流出端にデータ記録再生用のヘッド２００ａとデータ消磁用のヘッド２００ｂとの二つのヘッドを装着することが出来る。なお、スライダとは、ヘッドを保持するとともに磁気ディスクの回転により発生する空気から揚力を得て、ヘッドと磁気ディスクの距離を一定に保つために用いられる（上記実施例ではスライダに関する記載は省略している）。
【００５４】
また、スライダ２１０は、データ記録再生用のヘッド２１０ｂとデータ消磁用のヘッド２１０ａおよび２１０ｃを装着し、スライダ２３０では、流出端にデータ消磁用のヘッド２３０ａを装備し、空気が流入する流入端にデータ記録再生用のヘッド２３０ｂを装備させる。
【００５５】
このスライダ２００、２１０および２３０のように、複数のヘッドを同時に利用することによって効率良くデータ記録再生およびデータの消磁を行うことができる。
【００５６】
なお、図７に示したデータ記録再生用のヘッドおよびデータ消磁専用のヘッドの配置は一例であり、どのように配置しても良い。
【産業上の利用可能性】
【００５７】
以上説明したように、本発明にかかるデータ記録再生装置、記録媒体、データ記録再生方法およびデータ記録再生プログラムは、より多くのデータを記録再生することが求められる大容量ディスクに対して有効である。
【図面の簡単な説明】
【００５８】
【図１】本実施例に係るデータ記録の概念を説明するための図である。
【図２】データ記録再生装置の構成を示す機能ブロック図である。
【図３】振幅特定テーブルの一例を示す図である。
【図４】比較テーブルの一例を示す図である。
【図５】データ記録を行う処理手順を示すフローチャートである。
【図６】データ再生を行う処理手順を示すフローチャートである。
【図７】ヘッドを複数利用する場合の一例を示す図である。
【符号の説明】
【００５９】
１０    磁気ディスク
３０    ヘッド
４０    アクチュエータ
１００    データ記録再生装置
１１０    制御部
１２０    位置決めコントロール部
１３０    データ処理部
１３０ａ  データ送受信部
１３０ｂ  記録データ記憶部
１３０ｃ  消磁データ記録部
１４０    変調処理部
１４０ａ  変調部
１４０ｂ  振幅特定テーブル記憶部
１５０    波形整形部
１６０    アンプ
１７０    Ａ／Ｄ変換部
１８０    比較処理部
１９０    メモリ
１９０ａ  比較テーブル
【図１】
2005267778.tif 000003
【図２】
2005267778.tif 000004
【図３】
2005267778.tif 000005
【図４】
2005267778.tif 000006
【図５】
2005267778.tif 000007
【図６】
2005267778.tif 000008
【図７】
2005267778.tif 000009